(57)【要約】【課題】カバーピースの曲線状の端部同士がスライドファスナによって連結されるシートカバーを備えた乗物用シートにおいて、見栄えの良い乗物用シートを提供する。【解決手段】Ｒ状部分４０を含むカバー上側部１３ａの後縁部１３ａ２と、カバー背面部１３ｂの外縁部１３ｂ１とが、複数のエレメント２０が取付けられたスライドファスナＦ１によって連結されている。エレメント２０は、カバー上側部１３ａ又はカバー背面部１３ｂへの取付け部である基端部２１ａ、２２ａ、２３ａと、対向して互いに係合しあう噛合部２１ｂ、２２ｂ、２３ｂと、を有する。スライドファスナＦ１のＲ状部分４０におけるＲ中心に近い側のＲ状部内側エレメント２２は、カバー上側部１３ａ又はカバー背面部１３ｂに対して垂直方向から見て基端部２２ａがＲ中心に近い側を中心とする略扇形に形成されている。【選択図】図２
2019026191.tif 000002
【特許請求の範囲】
【請求項１】
乗物用シートであって、
シートカバーを構成する複数のカバーピースのうち少なくとも一部のカバーピースのＲ状部を含む端部同士が、複数のエレメントが取付けられたスライドファスナによって連結されており、
前記エレメントは前記少なくとも一部のカバーピースへの取付け部である基端部と、対向して互いに係合しあう噛合部と、を有し、
該スライドファスナの前記Ｒ状部におけるＲ中心に近い側のＲ状部内側エレメントは、前記カバーピースに対して垂直方向から見て前記基端部が前記Ｒ中心に近い側を中心とする略扇形に形成されている乗物用シート。
【請求項２】
請求項１において、前記スライドファスナの前記Ｒ状部におけるＲ中心から遠い側のＲ状部外側エレメントの前記基端部は、前記カバーピースに対して垂直方向から見て前記基端部が前記Ｒ中心側を上底とし前記Ｒ中心と反対側を下底とする略等脚台形に形成されている乗物用シート。
【請求項３】
請求項１又は請求項２において、前記エレメントの前記基端部は、前記カバーピースに対してテープを介して取付けられている乗物用シート。
【発明の詳細な説明】
【技術分野】
【０００１】
本発明は、乗物用シートに関するものである。
【背景技術】
【０００２】
従来、カバーピースの端部同士がスライドファスナによって連結されるシートカバーを備えた乗物用シートが知られている。特許文献１に記載の乗物用シートでは、シートバックの側部に対応するカバーピースの端部と、シートバックの後部に対応するカバーピースの端部との間がスライドファスナによって連結されている。
【先行技術文献】
【特許文献】
【０００３】
【特許文献１】特開２０１２−１９８２３号公報
【発明の概要】
【発明が解決しようとする課題】
【０００４】
特許文献１に記載の技術においては、スライドファスナによる連結部がほぼ直線状に延びている。しかし、乗物用シートの意匠によってはスライドファスナによる連結部が曲線状に延びている場合がある。かかる場合に、比較的に曲率が小さい曲線になるとエレメントが取付けられた部分が面外方向に変形して見栄えの悪化という問題を引き起こすおそれがあった。
【０００５】
このような問題に鑑み本発明の課題は、カバーピースの曲線状の端部同士がスライドファスナによって連結されるシートカバーを備えた乗物用シートにおいて、見栄えの良い乗物用シートを提供することにある。
【課題を解決するための手段】
【０００６】
本発明の第１発明は、乗物用シートであって、シートカバーを構成する複数のカバーピースのうち少なくとも一部のカバーピースのＲ状部を含む端部同士が、複数のエレメントが取付けられたスライドファスナによって連結されており、前記エレメントは前記少なくとも一部のカバーピースへの取付け部である基端部と、対向して互いに係合しあう噛合部と、を有し、該スライドファスナの前記Ｒ状部におけるＲ中心に近い側のＲ状部内側エレメントは、前記カバーピースに対して垂直方向から見て前記基端部が前記Ｒ中心に近い側を中心とする略扇形に形成されていることを特徴とする。
【０００７】
第１発明によれば、Ｒ状部内側エレメントは、カバーピースに対して垂直方向から見て基端部がＲ中心側を中心とする略扇形に形成されているので隣り合うＲ状部内側エレメント同士が基端部において干渉しにくくなる。これによって、スライドファスナが取付けられたカバーピースのＲ状部が、面外方向に変形しにくくなって乗物用シートの見栄えの悪化を抑制できる。
【０００８】
本発明の第２発明は、上記第１発明において、前記スライドファスナの前記Ｒ状部におけるＲ中心から遠い側のＲ状部外側エレメントの前記基端部は、前記カバーピースに対して垂直方向から見て前記基端部が前記Ｒ中心側を上底とし前記Ｒ中心と反対側を下底とする略等脚台形に形成されていることを特徴とする。
【０００９】
第２発明によれば、Ｒ状部外側エレメントの基端部は、Ｒ中心側を上底としＲ中心と反対側を下底とする略等脚台形に形成されているので隣り合うエレメント同士の基端部間の隙が広くなり過ぎない。これによって、スライドファスナが取付けられたカバーピースのＲ状部が、面外方向に変形しにくくなってさらに乗物用シートの見栄えの悪化を抑制できる。
【００１０】
本発明の第３発明は、上記第１発明又は上記第２発明において、前記エレメントの前記基端部は、前記カバーピースに対してテープを介して取付けられていることを特徴とする。
【００１１】
第３発明によれば、予め作製されたテープにエレメントが取付けられたＲ状部を含むスライドファスナを、カバーピースに縫製等により取付ければよいのでカバーピースへのスライドファスナの取付けが簡便となる。
【図面の簡単な説明】
【００１２】
【図１】本発明の一実施形態にかかる自動車用シートを斜め後方から見た斜視図である。
【図２】図１におけるＩＩ部分を拡大して示す図である。
【図３】スライドファスナの一般部エレメントの斜視図である。
【図４】スライドファスナのＲ状部内側エレメントの斜視図である。
【図５】スライドファスナのＲ状部外側エレメントの斜視図である。
【図６】他の実施形態を示す図２に対応する図である。
【発明を実施するための形態】
【００１３】
図１〜図５は、本発明の一実施形態を示す。本実施形態は、自動車用シートのシートバックに本発明を適用した例である。各図中、矢印により自動車用シートを自動車に取付けたときの自動車及び自動車用シートの各方向を示している。以下の説明において、方向に関する記述は、この方向を基準として行うものとする。なお、図３〜図５における方向ついては後述する。本実施形態の自動車用シート１は、着座部となるシートクッション２と、背凭れとなるシートバック１０と、頭部を支持するヘッドレスト３を備える。シートクッション２、ヘッドレスト３については、公知の構成のものであるので説明を省略し、シートバック１０について説明していく。ここで、自動車用シート１が特許請求の範囲の「乗物用シート」に相当する。
【００１４】
図１に示すように、シートバック１０は、その骨格を成すバックフレーム１１の上にクッション材である発泡ウレタン製のバックパッド１２を載置し、その上から表皮材であるバックカバー１３で覆った構造をしている。バックフレーム１１、バックパッド１２については、公知の構成のものであるので説明を省略し、バックカバー１３について説明していく。ここで、バックカバー１３が、特許請求の範囲の「シートカバー」に相当する。
【００１５】
図１に示すように、バックカバー１３は、裁断した表皮材のピースであるカバーピースを縫い合わせて袋状に形成したものである。表皮材としては、布帛や皮革等の表皮が単品として用いられるが、表皮に対してウレタン製のスラブパッドと、綿布や不織布製の裏基布と、をこの順に積層してラミネートした面状体として使用してもよい。カバーピースとしては次のものがある。シートバック１０の着座面に対応するカバー前面部（図示せず）と、シートバックの上部及び左右側部を覆うカバー上側部１３ａと、シートバック１０の背面部を覆うカバー背面部１３ｂと、である。各カバーピースは、隣接する端部同士が縫い合わされるか、又はスライドファスナによって連結されて一体化され下方に開口を有する袋状に形成されている。ここで、カバー上側部１３ａとカバー背面部１３ｂが、特許請求の範囲の「少なくとも一部のカバーピース」に相当する。
【００１６】
図１及び図２に示すように、カバー上側部１３ａは、カバー前面部と縫製で連結される前縁部１３ａ１と、カバー背面部１３ｂの外縁部１３ｂ１とスライドファスナＦ１で連結される後縁部１３ａ２と、を有する。カバー上側部１３ａの後縁部１３ａ２は、カバー上側部１３ａを構成する表皮材が裁断されて切断面として形成されている。カバー背面部１３ｂの外縁部１３ｂ１も同様に、カバー背面部１３ｂを構成する表皮材が裁断されて切断面として形成されている。後縁部１３ａ２及び外縁部１３ｂ１には、複数のエレメント２０が取付けられている。ここで、後縁部１３ａ２と外縁部１３ｂ１が、特許請求の範囲の「端部」に相当する。
【００１７】
図２〜図５に示すように、エレメント２０はポリエステル樹脂やナイロン樹脂等の熱可塑性樹脂で形成され、形態の違うものが３種類ある。すなわち、図３に示す一般部エレメント２１と、図４に示すＲ状部内側エレメント２２と、図５に示すＲ状部外側エレメント２３と、である。ここで、各エレメント２１、２２、２３の形状を説明するのに、図３〜図５において、Ｌ方向、Ｗ方向、Ｈ方向を次のように規定する。各エレメント２１、２２、２３が、カバー上側部１３ａ又はカバー背面部１３ｂに取付けられたとき、カバー上側部１３ａ又はカバー背面部１３ｂの面内方向で、前縁部１３ａ１又は外縁部１３ｂ１に垂直な方向をＬ方向とする。また、カバー上側部１３ａ又はカバー背面部１３ｂの面内方向で、前縁部１３ａ１又は外縁部１３ｂ１に平行な方向をＷ方向とする。さらに、カバー上側部１３ａ又はカバー背面部１３ｂの面内方向に垂直な方向をＨ方向とする。
【００１８】
図３に示すように、一般部エレメント２１は、略直方体状に形成された基端部２１ａと、基端部２１ａのＬ方向につながる噛合部２１ｂと、を有する。基端部２１ａは、Ｈ方向に対して垂直で対向して延びる一対の横面部２１ａ１と、横面部２１ａ１を連結してＬ方向に対して垂直で対向して延びる一対の縦面部２１ａ２と、横面部２１ａ１を連結してＷ方向に対して垂直で対向して延びる一対の側面部２１ａ３と、を有する。一対の横面部２１ａ１の間には、一対の横面部２１ａ１と平行でＬ方向と反対方向側の縦面部２１ａ２と一対の側面部２１ａ３において開口するスリット２１ａ４が設けられている。スリット２１ａ４のＨ方向の幅は、一対の横面部２１ａ１の間の間隔の１／５程度に設定されている。また、スリット２１ａ４のＬ方向の深さは、一対の横面部２１ａ１のＬ方向の長さの２／３程度に設定されている。基端部２１ａのＬ方向側の縦面部２１ａ２には、噛合部２１ｂが配設されている。噛合部２１ｂは、基端部２１ａの一対の横面部２１ａ１から同一平面状につながる一対の横面部２１ｂ１を有する。一対の横面部２１ｂ１は、基端部２１ａからＬ方向に向かうにつれてＷ方向の幅が１／２程度に狭まったくびれ部２１ｂ１１と、くびれ部２１ｂ１１からＬ方向に向かうにつれてＷ方向の幅が基端部２１ａのＷ方向の幅の２／３程度に広まった頭部２１ｂ１２と、を有して形成されている。一対の横面部２１ｂ１は、基端部２１ａの縦面部２１ａ２に対して平行に延びる縦面部２１ｂ２と、一対の屈曲した側面部２１ｂ３と、によって連結されている。すなわち、噛合部２１ｂは、横断面が横面部２１ｂ１の形状でＨ方向に延びる柱状体として形成されている。一般部エレメント２１は、噛合部２１ｂが対向するように配置されたとき、対向する噛合部２１ｂの頭部２１ｂ１２がくびれ部２１ｂ１１に嵌合するように形成されている。
【００１９】
図４に示すように、Ｒ状部内側エレメント２２は、基端部２２ａと、基端部２２ａのＬ方向につながる噛合部２２ｂと、を有する。基端部２２ａは、一般部エレメント２１の基端部２１ａにおける、Ｌ方向と反対方向側の縦面部２１ａ２と、一対の側面部２１ａ３と、で形成されるコーナ部を面取りした形状として形成されている。すなわち、基端部２２ａにおける一対の横面部２２ａ１は、Ｈ方向から見てＬ方向と反対方向に中心を有する略扇形に形成され、Ｌ方向に対して垂直に延びる縦面部２２ａ２と、一対の側面部２２ａ３と、で連結されている。Ｌ方向と反対方向側の縦面部２２ａ２は、Ｌ方向側の縦面部２２ａ２よりＷ方向の幅が狭いものとされている。また、一対の側面部２２ａ３は、Ｌ方向と反対方向に向かうにつれて近接するように形成されている。一対の横面部２２ａ１の間には、一対の横面部２２ａ１と平行でＬ方向と反対方向側の縦面部２２ａ２と一対の側面部２２ａ３において開口するスリット２２ａ４が設けられている。スリット２２ａ４のＨ方向の幅は、一対の横面部２２ａ１の間の間隔の１／５程度に設定されている。また、スリット２２ａ４のＬ方向の深さは、一対の横面部２２ａ１のＬ方向の長さの２／３程度に設定されている。基端部２２ａのＬ方向側の縦面部２２ａ２には、噛合部２２ｂが配設されている。噛合部２２ｂは、基端部２２ａの一対の横面部２２ａ１から同一平面状につながる一対の横面部２２ｂ１を有する。一対の横面部２２ｂ１は、基端部２１ａからＬ方向に向かうにつれてＷ方向の幅が１／２程度に狭まったくびれ部２２ｂ１１と、くびれ部２２ｂ１１からＬ方向に向かうにつれてＷ方向の幅が基端部２２ａのＷ方向の幅の４／５程度に広まった頭部２２ｂ１２と、を有して形成されている。頭部２２ｂ１２は、一般部エレメント２１の頭部２１ｂ１２に比べてＷ方向の幅が広く形成されている。一対の横面部２２ｂ１は、基端部２２ａの縦面部２２ａ２に対して平行に延びる縦面部２２ｂ２と、一対の屈曲した側面部２２ｂ３と、によって連結されている。すなわち、噛合部２２ｂは、横断面が横面部２２ｂ１の形状でＨ方向に延びる柱状体として形成されている。
【００２０】
図５に示すように、Ｒ状部外側エレメント２３は、基端部２３ａと、基端部２３ａのＬ方向につながる噛合部２３ｂと、を有する。基端部２３ａは、一般部エレメント２１の基端部２１ａにおける、Ｌ方向と反対方向側の縦面部２１ａ２のＷ方向の幅を広げた形状として形成されている。すなわち、基端部２３ａにおける一対の横面部２３ａ１は、Ｈ方向から見てＬ方向側の辺を上底とし、Ｌ方向と反対方向側の辺を下底とする等脚台形に形成され、Ｌ方向に対して垂直に延びる縦面部２２ａ２と、一対の側面部２２ａ３と、で連結されている。Ｌ方向と反対方向側の縦面部２３ａ２は、Ｌ方向側の縦面部２３ａ２よりＷ方向の幅が広いものとされている。また、一対の側面部２３ａ３は、Ｌ方向と反対方向に向かうにつれて離隔するように形成されている。一対の横面部２３ａ１の間には、一対の横面部２３ａ１と平行でＬ方向と反対方向の縦面部２３ａ２と一対の側面部２３ａ３において開口するスリット２３ａ４が設けられている。スリット２３ａ４のＨ方向の幅は、一対の横面部２３ａ１の間の間隔の１／５程度に設定されている。また、スリット２３ａ４のＬ方向の深さは、一対の横面部２３ａ１のＬ方向の長さの２／３程度に設定されている。基端部２３ａのＬ方向側の縦面部２３ａ２には、噛合部２３ｂが配設されている。噛合部２３ｂは、一般部エレメント２１の噛合部２１ｂと同一形状に形成されている。すなわち、頭部２３ｂ１２と頭部２１ｂ１２は同一形状に形成され、くびれ部２３ｂ１１とくびれ部２１ｂ１１は同一形状に形成されている。Ｒ状部外側エレメント２３は、噛合部２３ｂがＲ状部内側エレメント２２の噛合部２２ｂに対向するように配置されたとき、対向する噛合部２２ｂの頭部２２ｂ１２がくびれ部２３ｂ１１に嵌合するように形成されている。また、Ｒ状部外側エレメント２３は、噛合部２３ｂが一般部エレメント２１の噛合部２１ｂに対向するように配置されたとき、対向する噛合部２１ｂの頭部２１ｂ１２がくびれ部２３ｂ１１に嵌合するように形成されている。
【００２１】
図２に示すように、エレメント２０は、複数の所定ピッチで並ぶエレメント２０の外形形状のキャビティを有する金型のキャビティ内にカバー上側部１３ａの後縁部１３ａ２又はカバー背面部１３ｂの外縁部１３ｂ１を配置して、各エレメント２０をインジェクション成形することによって取付けられる。具体的には、後縁部１３ａ２又は外縁部１３ｂ１のほぼ直線状の部分３０においては、一般部エレメント２１が取付けられる。また、後縁部１３ａ２又は外縁部１３ｂ１の曲率の小さいＲ状部分４０においては、Ｒ中心に近い側のＲ内側部分４１にはＲ状部内側エレメント２２が、Ｒ中心から遠い側のＲ外側部分４２にはＲ状部外側エレメント２３が取付けられる。各基端部２１ａ、２２ａ、２３ａのスリット２１ａ４、２２ａ４、２３ａ４の中に、後縁部１３ａ２又は外縁部１３ｂ１が挿入されて、各基端部２１ａ、２２ａ、２３ａ１が後縁部１３ａ２又は外縁部１３ｂ１をカバー上側部１３ａ又はカバー背面部１３ｂの面に垂直な方向に挟むように取付けられている。このとき、後縁部１３ａ２又は外縁部１３ｂ１からスリット２１ａ４、２２ａ４、２３ａ４に挿入される部分の長さ分の領域のカバー上側部１３ａ又はカバー背面部１３ｂを熱プレスによって薄肉化しておいてもよい。特に、厚肉の表皮の表皮材やスラブパッドがラミネートされている表皮材でカバー上側部１３ａ又はカバー背面部１３ｂが形成されている場合には、スリット２１ａ４、２２ａ４、２３ａ４の幅を大きくするためにエレメント２０を大型化しなくて済むので有利である。なお、予めインジェクション成形した複数のエレメント２０のスリット２１ａ４、２２ａ４、２３ａ４に、後縁部１３ａ２又は外縁部１３ｂ１を挿入した状態でエレメント２０を加熱して後縁部１３ａ２又は外縁部１３ｂ１に融着させる方法を採ってもよい。ここで、Ｒ状部分４０が、特許請求の範囲の「Ｒ状部」に相当する。
【００２２】
図１及び図２に示すように、カバー上側部１３ａの後縁部１３ａ２に配設された一般部エレメント２１及びＲ状部外側エレメント２３の列と、カバー背面部１３ｂの外縁部１３ｂ１に配設された一般部エレメント２１及びＲ状部内側エレメント２２の列と、はスライダー（図示せず）を往復動作させることにより開閉するスライドファスナＦ１として機能する。具体的には、スライダーの往動作により後縁部１３ａ２に配設された一般部エレメント２１の頭部２１ｂ１２が外縁部１３ｂ１に配設された一般部エレメント２１のくびれ部２１ｂ１１に嵌合するとともに、外縁部１３ｂ１に配設された一般部エレメント２１の頭部２１ｂ１２が後縁部１３ａ２に配設された一般部エレメント２１のくびれ部２１ｂ１１に嵌合する。また、後縁部１３ａ２に配設されたＲ状部外側エレメント２３の頭部２１ｂ１２が外縁部１３ｂ１に配設されたＲ状部内側エレメント２２のくびれ部２２ｂ１１に嵌合するとともに、外縁部１３ｂ１に配設されたＲ状部内側エレメント２２の頭部２２ｂ１２が後縁部１３ａ２に配設されたＲ状部外側エレメント２３のくびれ部２３ｂ１１に嵌合する。この状態が、スライドファスナＦ１を閉じた状態であり、カバー上側部１３ａの後縁部１３ａ２とカバー背面部１３ｂの外縁部１３ｂ１は連結された状態となる。図１にこの状態を示す。シートバック１０の製造においては、スライドファスナＦ１を開いた状態でバックカバー１３を製造し、バックフレーム１１に取付けられたバックパッド１２に上方から被せつける。具体的には、カバー上側部１３ａの前縁部１３ａ１をカバー前面部と縫製により連結したものをバックフレーム１１に取付けられたバックパッド１２に上方から被せつけ、それに対して別体として形成しておいたカバー背面部１３ｂを、スライダーを左下方から右下方に移動させることによりスライドファスナＦ１を閉じた状態にすることによって取付ける。
【００２３】
以上のように構成される本実施形態は、以下のような作用効果を奏する。Ｒ状部内側エレメント２２は、カバー背面部１３ｂに対して垂直方向から見て基端部２２ａが、図４においてＬ方向と反対方向側であるＲ中心側を中心とする略扇形に形成されているので隣り合うＲ状部内側エレメント２２同士が基端部２２ａにおいて干渉しにくくなる。これによって、スライドファスナＦ１が取付けられたカバー上側部１３ａとカバー背面部１３ｂのＲ状部分４０が、面外方向に変形しにくくなって自動車用シート１の見栄えの悪化を抑制できる。
【００２４】
また、Ｒ状部外側エレメント２３の基端部２３ａは、図５においてＬ方向側であるＲ中心側を上底とし、図５においてＬ方向と反対方向側であるＲ中心と反対側を下底とする略等脚台形に形成されているので隣り合うＲ状部外側エレメント２３同士の基端部２３ａの隙が広くなり過ぎない。これによって、スライドファスナＦ１が取付けられたカバー上側部１３ａとカバー背面部１３ｂのＲ状部分４０が、面外方向に変形しにくくなってさらに自動車用シート１の悪化を抑制できる。さらに、Ｒ状部外側エレメント２３の噛合部２３ｂと嵌合するＲ状部内側エレメント２２の噛合部２２ｂは、頭部２２ｂ１２のＷ方向の幅がＲ状部外側エレメント２３の噛合部２３ｂの頭部２３ｂ１２より大きく設定されている。これによって、Ｒ状部分４０において、Ｒ状部外側エレメント２３の噛合部２３ｂと、Ｒ状部内側エレメント２２の噛合部２２ｂと、の嵌合が緊密したものとなる。
【００２５】
図６に本発明の他の実施形態を示す。上記一の実施形態との違いは、エレメント２０がカバー上側部１３ａ又はカバー背面部１３ｂに対して布帛製のテープ５０を介して取付けられている点である。具体的には、一般部エレメント２１及びＲ状部外側エレメント２３が一端部側に取付けられたテープ５０の他端部側がカバー上側部１３ａに取付けられ、一般部エレメント２１及びＲ状部内側エレメント２２が一端部側に取付けられたテープ５０の他端部側がカバー背面部１３ｂに取付けられている。これによって、予め作製されたテープ５０にエレメント２０が取付けられたＲ状部分４０を含むスライドファスナＦ１を、カバー上側部１３ａ又はカバー背面部１３ｂに縫製等により取付ければよいのでカバー上側部１３ａ又はカバー背面部１３ｂへのスライドファスナＦ１の取付けが簡便となる。
【００２６】
以上、特定の実施形態について説明したが、本発明は、それらの外観、構成に限定されず、本発明の要旨を変更しない範囲で種々の変更、追加、削除が可能である。例えば、次のようなものが挙げられる。
【００２７】
１．上記実施形態においては、Ｒ状部内側エレメント２２の基端部２２ａの横面部２２ａ１の形状を、図４においてＨ方向から見て略扇形として、Ｌ方向と反対方向側の縦面部２２ａ２があるように形成した。しかし、これに限らず、Ｌ方向と反対方向側の縦面部２２ａ２を無くして、横面部２２ａ１の形状を、図４においてＨ方向から見て扇形としてもよい。
【００２８】
２．上記実施形態においては、カバー上側部１３ａの後縁部１３ａ２及びカバー背面部１３ｂの外縁部１３ｂ１は、表皮材が裁断されて切断面として形成されているものとした。しかし、これに限らず、後縁部１３ａ２又は外縁部１３ｂ１を表皮材の延長部分を折り返した折り線部として形成してもよい。
【００２９】
３．上記実施形態においては、本発明をシートバック１０のバックカバー１３に適用したが、シートクッション２のカバーや、ヘッドレストのカバーに適用することもできる。さらに、本発明を自動車用シートに適用したが、これに限らず、飛行機、鉄道車両、船舶等のシートにも適用することができる。
【符号の説明】
【００３０】
１     自動車用シート（乗物用シート）
１０   シートバック
１３   バックカバー（シートカバー）
１３ａ カバー上側部（少なくとも一部のカバーピース）
１３ａ２      後縁部（端部）
１３ｂ カバー背面部（少なくとも一部のカバーピース）
１３ｂ１      外縁部（端部）
２０   エレメント
２１   一般部エレメント
２１ａ 基端部
２１ｂ 噛合部
２２   Ｒ状部内側エレメント
２２ａ 基端部
２２ｂ 噛合部
２３   Ｒ状部外側エレメント
２３ａ 基端部
２３ｂ 噛合部
３０   ほぼ直線状の部分
４０   Ｒ状部分（Ｒ状部）
４１   Ｒ内側部分
４２   Ｒ外側部分
５０   テープ
Ｆ１   スライドファスナ
【図１】
2019026191.tif 000003
【図２】
2019026191.tif 000004
【図３】
2019026191.tif 000005
【図４】
2019026191.tif 000006
【図５】
2019026191.tif 000007
【図６】
2019026191.tif 000008